(57)【特許請求の範囲】
【請求項１】
上枠、下枠および左右の縦枠を四周枠組みして形成された窓枠と、この窓枠内に組み込まれた内障子および外障子とを備える上げ下げ窓であって、
前記縦枠の前記内障子側と外障子側とを仕切る仕切部には、上下方向に連続する取付溝が形成され、
前記取付溝において障子を閉めた際に室内側に露出する部分には、内観色部材が取り付けられ、
前記取付溝において障子を閉めた際に室外側に露出する部分には、外観色部材が取り付けられ、
前記取付溝には、風止め板が前記内観色部材および外観色部材間に配置されて取り付けられていることを特徴とする上げ下げ窓。
【請求項２】
外障子および内障子の各召合せ框の一方には、他方の召合せ框に接触する気密材が召合せ框の長手方向に沿って取り付けられ、この気密材の端面と前記風止め板との隙間は前記外障子または内障子に取り付けられた封止部材で塞がれていることを特徴とする請求項１に記載の上げ下げ窓。
【請求項３】
前記内観色部材は、縦枠の室内側に露出する室内露出部の色と同色とされ、外観色部材は、縦枠の室外側に露出する室外露出部の色と同色とされていることを特徴とする請求項１または２に記載の上げ下げ窓。
【請求項４】
前記内観色部材は、前記縦枠の室内露出部と同じ材質で構成され、前記外観色部材は、前記縦枠の室外露出部と同じ材質で構成されていることを特徴とする請求項１〜３のいずれかに記載の上げ下げ窓。
【請求項５】
前記窓枠の縦枠は非鉄金属で構成され、この非鉄金属における前記取付溝よりも室外側の部分は室外露出部とされ、前記取付溝よりも室内側の部分は断熱性部材からなり室内露出部となるカバー材で被覆されていることを特徴する請求項１〜４のいずれかに記載の上げ下げ窓。
【請求項６】
前記窓枠の縦枠は、室外露出部となる非鉄金属製の室外部材と、室内露出部となる断熱性部材からなる室内部材とで構成されていることを特徴する請求項１〜４のいずれかに記載の上げ下げ窓。
【請求項７】
前記取付溝は、前記カバー材に形成されていることを特徴とする請求項５に記載の上げ下げ窓。
【請求項８】
前記取付溝は、前記室内部材に形成されていることを特徴とする請求項６に記載の上げ下げ窓。
【請求項９】
前記外障子および内障子において、少なくとも外障子の召合せ框以外の各框は、非鉄金属製の室外部材と、断熱性部材からなる室内部材とで構成され、
前記内観色部材は各障子の室内部材と同色とされ、前記外観色部材は各障子の室外部材と同色とされていることを特徴する請求項１〜８のいずれかに記載の上げ下げ窓。
【発明の詳細な説明】
【０００１】
【発明の属する技術分野】
本発明は、上げ下げ窓に係り、建物の屋根面や壁面の開口部に設けられる上げ下げ窓や、勝手口ドア、玄関ドア等のドア内に設けられる上げ下げ窓に関する。
【０００２】
【背景技術】
サッシ窓として、内障子および外障子の両方が可動障子とされたり、一方が可動障子で他方が固定障子とされた上げ下げ窓が知られている。さらに、上げ下げ窓としては、ガラスの室外面を掃除するために、内障子や外障子が室内側に倒れて外れるように構成されたものもある。
【０００３】
このような上げ下げ窓では、内障子および外障子は、窓枠の縦枠に形成された仕切部によって仕切られ、この仕切部の室外側および室内側に形成されるガイド溝で上下方向にスライド可能にガイドされている。
【０００４】
このような上げ下げ窓において、近年、断熱性能および内観を向上させるために、アルミ等の非鉄金属製の室外部材と、樹脂、木等の断熱性部材からなる室内部材とで構成された框を用いた障子が利用されるようになった。
同様に、障子が組み込まれるアルミ製の窓枠においても、前記断熱性部材からなる室内部材と同じ色調のカバー材を障子を閉めた際に室内に露出する露出面に取り付けることで、断熱・防露性能を向上させていた。
【０００５】
このような上げ下げ窓においては、上げ下げ窓の外観を向上させるため、窓枠および障子で室外側に露出するアルミ等の非鉄金属の部分を同一の色、例えばブラック、ブラウン、ホワイト、グレー等の同色に塗装していた。
同様に、上げ下げ窓の内観を向上させるため、窓枠の室内側に露出するカバー材と、障子の室内部材とを同一の色、例えば、オーク、ホワイト等の同色に塗装していた。また、前記カバー材や室内部材を木で構成することで、木目調にして統一感を実現する場合もあった。
特に、近年では、室内側は、木自体や木目調等のナチュラルな色調が好まれ、一方で、室外側はコンクリート、レンガ等の洋風な外壁に合わせて、ブラック、ブラウン、ホワイト等の室内側とは異なる色調が好まれている。
【０００６】
【発明が解決しようとする課題】
ところで、このような上げ下げ窓において、前記仕切部は、非鉄金属製の縦枠か、またはカバー材に設けられることになる。このため、窓枠に仕切部が形成されていれば、その色調は上げ下げ窓の外観と同一となり、カバー材に仕切部が形成されていれば、その色調は上げ下げ窓の内観と同一となる。
【０００７】
しかしながら、いずれの場合にも、前記仕切部の部分で上げ下げ窓の外観あるいは内観の統一感が乱されて意匠性が低下するという問題があった。
すなわち、前記各障子を閉めた際に、縦枠の仕切部は、室外側に露出する部分と室内側に露出する部分とが発生する。つまり、仕切部のうち、外障子の室内側に位置する部分は室内側に露出し、内障子の室外側に位置する部分は室外側に露出する。
【０００８】
そのため、仕切部が非鉄金属の縦枠に形成されている場合には、仕切部が室外側に露出する部分は、窓枠や障子の室外面と同様の色調となって外観を低下させることはないが、室内側に露出する部分は、通常、その色調は窓枠や障子の室内面と異なるために内観を低下させてしまうという問題があった。
【０００９】
逆に、仕切部が縦枠のカバー材に形成されている場合には、仕切部が室外側に露出する部分は、通常、窓枠や障子の室外面と異なる色調であるため、外観を低下させてしまうという問題があった。
【００１０】
そこで、仕切部の室内側に露出する部分を窓枠や障子の室内面と同じ色調に塗装し、室外側に露出する部分を窓枠や障子の室外面と同じ色調に塗装することも考えられるが、一体成形されている仕切部を塗装し分けることは作業性を低下させ、生産効率を低減させてしまうという問題がある。
【００１１】
本発明の目的は、外観、内観を共に向上させることができ、生産効率の低減も防止できる上げ下げ窓を提供することにある。
【００１２】
【課題を解決するための手段】
本発明の上げ下げ窓は、上枠、下枠および左右の縦枠を四周枠組みして形成された窓枠と、この窓枠内に組み込まれた内障子および外障子とを備える上げ下げ窓であって、前記縦枠の前記内障子側と外障子側とを仕切る仕切部には、上下方向に連続する取付溝が形成され、前記取付溝において障子を閉めた際に室内側に露出する部分には内観色部材が取り付けられ、前記取付溝において障子を閉めた際に室外側に露出する部分には外観色部材が取り付けられ、前記取付溝には、風止め板が前記内観色部材および外観色部材間に配置されて取り付けられていることを特徴とする。
【００１３】
本発明においては、縦枠の仕切部に取付溝を形成し、この取付溝に縦枠とは別体の内観色部材および外観色部材を取り付けているので、例えば、内観色部材を窓枠や障子の室内面と同じ色調とし、外観色部材を窓枠や障子の室外面と同じ色調とすることができる。このため、上げ下げ窓の内観および外観が異なる色調であっても、別体の各色部材は、各々の色調に合わせて容易に着色できる。従って、上げ下げ窓の仕切部において、上げ下げ窓の内観および外観を向上することができる。
さらに、内観色部材および外観色部材は縦枠とも別体であり、かつ互いに別体であるため、各々を上げ下げ窓の内観および外観に合わせて容易に着色でき、生産効率を低下させることもない。
【００１４】
なお、前記内観色部材および外観色部材を取付溝に取り付けるにあたっては、取付溝の開口端面から色部材の係合部をスライド式に差し込んで取り付けてもよいし、色部材に弾性変形可能な係止片を設け、取付溝の長手方向に沿って形成されている溝部分に係止片を押し込んで取り付けてもよい。
【００１５】
また、前記取付溝には、風止め板が内観色部材および外観色部材間に配置されて取り付けられているので、風止め板も、取付溝に対してスライド式に差し込んだりして容易に取り付けることができる。また、風止め板は、内観色部材および外観色部材間に配置されるため、各色部材の長さ寸法を設定しておけば、風止め板の配置位置も容易に設定できる。その上、各色部材も同じ取付溝に取り付けられるので、例えば、外観色部材、風止め板、内観色部材を順次取り付けるだけで、位置合わせを兼ねて容易に取り付けることができる。
【００１６】
また、外障子および内障子の各召合せ框の内の一方には、他方の召合せ框に接触する気密材が召合せ框の長手方向に沿って取り付けられ、この気密材の端面と前記風止め板との隙間は前記外障子または内障子に取り付けられた封止部材で塞がれていることが好ましい。
【００１７】
上げ下げ窓においては、外障子および内障子の一方の上框および他方の下框がそれぞれ召合せ框となる。この召合せ框には、気密性・水密性を確保するための気密材が取り付けられる。この際、各障子では、竪框と上下框との接合は、通常、竪框が勝っているため、召合せ框に取り付けられる気密材は、障子の竪框部分には設けることができず、障子の側端面まで気密材を延長することができない。そこで、気密材の端面と前記風止め板との隙間を塞ぐために、モヘア等からなる封止部材を外障子または内障子に取り付ければ、より具体的には、いずれかの障子の竪框に取り付ければ、前記隙間を確実に塞ぐことができ、気密性や水密性を向上できる。
【００１８】
ここで、前記内観色部材は、縦枠の室内側に露出する室内露出部の色と同色とされ、外観色部材は、縦枠の室外側に露出する室外露出部の色と同色とされていることが好ましい。
本発明において、内観色部材および外観色部材を、縦枠の室内露出部および室外露出部と同色にすれば、統一感のある内観や外観にすることができ、意匠性を向上できる。なお、本発明において、同じ色とは、完全に同一の色、つまり色相、彩度、明度の三要素が同一のものに限らず、各要素が多少異なるものでもよく、要するに色合いが略同じように見えるものであればよい。また、同色にするための方法としては、塗装やラミネートで着色してもよいし、内観色部材や外観色部材を樹脂等で成形する場合には、樹脂原料に顔料を入れて着色してもよい。
【００１９】
なお、デザインの要望等によっては、内観色部材および外観色部材を、縦枠の室内露出部および室外露出部と異なる色にしてもよい。
【００２０】
さらに、前記内観色部材は、前記縦枠の室内露出部と同じ材質で構成され、前記外観色部材は、前記縦枠の室外露出部と同じ材質で構成されていることが好ましい。なお、内観色部材、外観色部材は、アルミ製、ＰＶＣ（ポリ塩化ビニル）等の合成樹脂製、ＥＰＤＭ（エチレンプロピレンディエンメチレン）などの合成ゴム等により形成されたシール材（気密材、エアタイト材、ＡＴ材）等で構成できる。
内観色部材を縦枠の室内露出部と同じ材質で構成し、外観色部材を縦枠の室外露出部と同じ材質で構成すれば、色調だけでなく、光沢感等の表面状態をも一致させることができるため、内観、外観の意匠性をより一層向上できる。
【００２１】
ここで、前記窓枠の縦枠は非鉄金属で構成され、かつこの非鉄金属における前記取付溝よりも室外側の部分は室外露出部とされ、前記取付溝よりも室内側の部分は断熱性部材からなり、かつ室内露出部とされたカバー材で被覆されているものでもよい。
【００２２】
また、前記窓枠の縦枠は、室外露出部となる非鉄金属製の室外部材と、室内露出部となる断熱性部材からなる室内部材とで構成されているものでもよい。
なお、これらの各窓枠において、前記内観色部材は室内露出部（カバー材や室内部材）と同色でもよいし、異なる色でもよい。また、前記外観色部材は室外露出部（縦枠の室外側部分や室外部材）と同色でもよいし、異色でもよい。
【００２３】
これらの窓枠を用いれば、縦枠を室内露出部となる断熱性部材からなるカバー材で被覆したり、室内露出部となる室内部材を断熱性部材から構成することで、断熱性を向上できる。
この際、断熱性部材としては、通常、合成樹脂、木製、あるいは熱可塑性樹脂等の合成樹脂と木粉とを混合溶融して成形された合成木材、等が利用される。これらの断熱性部材は、室外露出部となるアルミ等の非鉄金属とは色調も異なるが、内観色部材をこれらの断熱性部材（室内露出部）と同じ色にすれば、障子を閉めた際に室内側に露出する部分を統一感のある色調にでき、内観を向上できる。一方で、外観色部材を、室外露出部である縦枠や室外部材と同じ色にすれば、障子を閉めた際に室外側に露出する部分も統一感のある色調にでき、外観を向上できる。
【００２４】
ここで、前記取付溝は、前記カバー材に形成されていることが好ましい。あるいは、前記取付溝は、前記室内部材に形成されていることが好ましい。
取付溝に取り付けられる外観色部材は、外気に直接に接するため、室外温度の影響を受けやすい。外観色部材が外気で冷やされても、その色部材を保持する取付溝が断熱性部材からなるカバー材や室内部材に形成されていれば、外観色部材からの熱伝導を抑えることができ、断熱性能を向上できる。
【００２５】
ここで、前記外障子および内障子は、少なくとも外障子の召合せ框以外の各框（つまり、少なくとも障子を閉めた際に室内側に露出する各框）が、非鉄金属製の室外部材と、断熱性部材からなる室内部材とで構成され、前記内観色部材は各障子の室内部材と同色とされ、前記外観色部材は各障子の室外部材と同色とされていることが好ましい。このような障子を用いれば、断熱性や防露性を向上できるとともに、障子の部分と各色部材との色が統一されるため、上げ下げ窓の内観および外観をより向上できる。
【００２６】
【発明の実施の形態】
以下に、本発明の実施形態を図面に基づいて説明する。なお、各図面においては図面を見やすくするために、窓枠や障子等の主要な構成部材には断面を示すハッチングを省略して記載している。
【００２７】
図１は、本実施形態の上げ下げ窓１を示す内観図であり、図２は、矢印ＩＩ−ＩＩから見た縦断面図、図３は、矢印ＩＩＩ−ＩＩＩから見た横断面図である。
図１〜図３において、上げ下げ窓１は、図示しない建物の躯体に取り付けられる窓枠１０と、この窓枠１０の室内側（図２における右側）に配置された室内側障子（内障子）７０と、室外側（図２における左側）に配置された室外側障子（外障子）６０とから構成され、閉じた状態では、内障子７０が下側に、外障子６０が上側に配置されるようになっている。
【００２８】
窓枠１０は、図１〜図３に示すように、上枠１１、下枠１２と、左右の縦枠１３とを四角枠状に組んで構成されている。上枠１１および左右両端の縦枠１３は、それぞれ非鉄金属であるアルミを押出成形によって一体成形したアルミ形材で構成されている。
【００２９】
下枠１２は、アルミ押出形材からなる室外部材１２Ａおよび室内部材１２Ｂと、これらの各部材を連結するウレタン樹脂等で形成された断熱部材１２Ｃとで構成されている。
なお、本実施形態では、ウレタン樹脂を各室内外部材１２Ａ，１２Ｂ間に注入して硬化させることで断熱部材１２Ｃとしているが、合成樹脂製の帯板状の断熱部材を各部材１２Ａ，１２Ｂ間にそれぞれ１枚以上配置し、各部材１２Ａ，１２Ｂをかしめて連結させることで、断熱部材１２Ｃを構成してもよい。
【００３０】
これらの上枠１１、下枠１２、縦枠１３には、各枠１１，１２，１３が取り付けられるまぐさ７、窓台８、柱９の室外面に当接する躯体取付片１１Ｄ，１２Ｄ，１３Ｄが形成されている。そして、これらの躯体取付片１１Ｄ，１２Ｄ，１３Ｄを釘やビスによってまぐさ７、窓台８、柱９に取り付けることで、アルミ形材断熱窓枠１０は建物躯体側に取り付けられている。
また、上枠１１、下枠１２、縦枠１３と建物の外壁材９０との間には、バックアップ材２６および充填材２７が充填されてシールされている。
【００３１】
外障子６０は、上框（戸先框）６１と、下框（召合せ框、外召合せ框）６２と、竪框６３とを四角枠状に組んで構成されている。また、内障子７０は、上框（召合せ框、内召合せ框）７１と、下框７２と、竪框７３とを四角枠状に組んで構成されている。そして、各框６１〜６３，７１〜７３の内周面には、複層ガラス８０がガスケットを介して嵌合されている。
【００３２】
各框６１，６３，７１〜７３は、それぞれアルミ押出形材（金属、非鉄金属）製の室外部材６１Ａ，６３Ａ，７１Ａ〜７３Ａと、断熱性部材からなる室内部材６１Ｂ，６３Ｂ，７１Ｂ〜７３Ｂとを接合して構成されている。一方、下框（外召合せ框）６２は、アルミ製（金属製、非鉄金属製）の押出形材で構成されている。
【００３３】
なお、各框６１，６３，７１〜７３の室外部材６１Ａ，６３Ａ，７１Ａ〜７３Ａには、複層ガラス８０の室外側を保持するガラス保持辺が形成され、室内部材６１Ｂ，６３Ｂ，７１Ｂ〜７３Ｂには複層ガラス８０の室内側を保持するガラス保持辺が形成されている。このため、各障子６０，７０において、各障子６０，７０を閉めた際に室内側に露出する露出面部は、すべて断熱性を有する室内部材６１Ｂ，６３Ｂ，７１Ｂ〜７３Ｂとなり、アルミ製の室外部材６１Ａ，６３Ａ，７１Ａ〜７３Ａや、アルミ製の下框６２は室内側に露出しないので、断熱性能や防露性能が向上されている。なお、障子６０，７０における室内側の露出面部とは、障子６０，７０の室内面において障子６０，７０を閉めた際に室内側に露出する部分（見えがかり部）を意味する。
【００３４】
なお、室外部材６１Ａ，６３Ａ，７１Ａ〜７３Ａの内面には、図示しない断面Ｌ字形状の金属製の脱落防止具が設けられ、火災時に各室内部材６１Ｂ，６３Ｂ，７１Ｂ〜７１Ｂが燃えてしまっても、複層ガラス８０が外れて室内側に落下しないようになっている。
【００３５】
前記窓枠１０の上枠１１、下枠１２、縦枠１３には、各枠１１〜１３の室内側露出面部を被覆する断熱性部材からなるカバー材２１，２２，２３が取り付けられている。なお、これらのカバー材２１〜２３によって、窓枠１０の開口内周面において障子６０，７０を閉めた際に室内側に露出する部分（見えがかり部）、つまり窓枠１０における室内露出部が構成されている。
【００３６】
ここで、各カバー材２１，２２，２３は、具体的には、ポリ塩化ビニル樹脂等の合成樹脂、木製、あるいは熱可塑性樹脂等の合成樹脂と木粉とを混合溶融して成形された木粉入り樹脂や合成木材などの断熱性部材で形成されている。
なお、本発明において「合成木材」とは、木粉含有率が３０重量％以上のものであり、木粉含有率が３０重量％未満の「木粉入り樹脂」に比べてより木に近い外観を有するものを意味する。また、木粉とは、木材を粉砕して得られるものに限らず、椰子殻、コーヒーかす、古紙、廃材などのセルロース系材料を粉砕等で粉状にしたものを含むものである。
また、本実施形態では、各カバー材２１〜２３は、各框６１，６３，７１〜７１の室内部材６１Ｂ，６３Ｂ，７１Ｂ〜７１Ｂと同じ材質、色調で構成されている。
【００３７】
カバー材２１は、上枠１１の下面における前記室内部材６１Ｂの上方から額縁８１までの部分を被覆するように、上枠１１および額縁８１に取り付けられている。このため、外障子６０を閉めた際に、上枠１１においては、カバー材２１が室内側に露出する。
このカバー材２１には、外障子６０の上框（戸先框）６１の室内面に密着してシールする気密シール材２８が取り付けられている。
【００３８】
カバー材２２は、下枠１２の前記室内部材１２Ｂの上面に取り付けられ、前記室内部材１２Ｂを被覆している。このため、内障子７０を閉めた際に、下枠１２においては、カバー材２２が室内側に露出する。
【００３９】
各縦枠１３には、図４にも示すように、外障子６０をガイドするための凹溝状のガイド溝１５が形成されている。このガイド溝１５を構成する室外片１５Ａおよび室内片１５Ｂのうち、室内片１５Ｂの室内側に、前記断熱性のカバー材２３が設けられ、各縦枠１３の室内片１５Ｂよりも室内側の部分、つまり外障子６０、内障子７０を閉めた際に室内側に露出する露出面を被覆している。このため、各障子６０，７０を閉めた際に、縦枠１３においては、カバー材２３が室内側に露出する。
【００４０】
カバー材２３には、内障子７０をガイドするための凹溝状のガイド溝１６が形成されている。そして、カバー材２３においてガイド溝１６の室外側を区画する室外片２３Ａと、前記室内片１５Ｂとで、外障子６０および内障子７０を仕切る仕切部４０が形成されている。
この仕切部４０、より具体的にはカバー材２３において仕切部４０を構成する室外片２３Ａには、図５にも示すように、上下方向に連続する断面略Ｃ字状の取付溝４１が形成されている。
【００４１】
この取付溝４１には、外観色部材４５、風止め板４６、内観色部材４７が差し込まれている。これらの外観色部材４５、風止め板４６、内観色部材４７は、下側からこの順序で並ぶように取付溝４１に差し込まれている。
外観色部材４５は、図６の模式図にも示すように、各縦枠１３の下端から召合せ部（各召合せ框６２，７１が配置される部分）まで延長されて配置されている。この外観色部材４５は、図７にも示すように、外障子６０、内障子７０を閉めた際に室外側に露出するため、室外露出部であるアルミ形材からなる縦枠１３と同じ色に着色されている。具体的には、外観色部材４５は縦枠１３と同じアルミ形材で構成され、材質が同じであるため、色もまったく同一に着色されている。
【００４２】
内観色部材４７は、各縦枠１３の上端から召合せ部分まで延長されて配置されている。この内観色部材４７は、図８にも示すように、外障子６０、内障子７０を閉めた際に室内側に露出するため、カバー材２３と同じ色に着色されている。具体的には、内観色部材４７は室内露出部であるカバー材２３と同じ合成樹脂で構成され、材質が同じであるため、色もまったく同一に着色されている。
なお、外観色部材４５や内観色部材４７は、例えば、塗装やラミネートで着色される。また、内観色部材４７のように合成樹脂で構成される場合には、内観色樹脂原料に顔料を入れて着色してもよい。
【００４３】
風止め板４６は、各色部材４５，４７と同様に、取付溝４１に差し込まれて取り付けられており、各色部材４５，４７間に配置されている。風止め板４６は、合成樹脂などからなり、複数のフィン（ヒレ）を備えて構成されている。
そして、このフィン部分が外障子６０の竪框６３の側端面と、後述するモヘア（封止部材）７５に接することで、外気が召し合わせ部の端面から室内側に流入しないようにシールしている。
【００４４】
すなわち、図２，４に示すように、召合せ部６２，７１部分においては、召合せ部６２に取り付けられた気密材６７が召合せ部７１の室外面に当接することでシールしている。但し、召合せ部６２の端部は、図９にも示すように、竪框６３に呑み込まれており、竪框６３が勝った状態で接合されているため、召合せ部６２に取り付けられる気密材６７は、外障子６０の側端面まで設けることができない。このため、気密材６７の側端面から風止め板４６の間に隙間が生じる。
そこで、本実施形態では、図４，７にも示すように、内障子７０の竪框７３の室外面にモヘア７５を取り付けて気密材６７および風止め板４６の隙間を塞いでいる。
【００４５】
これらの各障子６０，７０には、図３に示すように、それぞれ摺動片６８が固定され、この摺動片６８を縦枠１３のガイド溝１５，１６内に差し込むことで、各障子６０，７０は縦枠１３の見付け方向と見込み方向の移動を規制され、上下方向のみ移動可能とされている。また、摺動片６８は、スパイラルバランサー６９に固定され、各障子６０，７０はスパイラルバランサー６９によって上下動可能にかつ任意の位置で保持可能にされている
また、各障子６０，７０は、複層ガラス８０を掃除するために、摺動片６８部分から外れて室内側に内倒しできるようにされている。
【００４６】
このような本実施形態によれば以下のような効果がある。
（１）  縦枠１３の仕切部４０に取付溝４１を形成し、この取付溝４１に縦枠１３とは別体の外観色部材４５および内観色部材４７を取り付けているので、内観色部材４７を窓枠１０や障子６０，７０の室内面と同じ色調とし、外観色部材４５を窓枠１０や障子６０，７０の室外面と同じ色調とすることができる。
このため、上げ下げ窓１の内観および外観が異なる色調であっても、別体の各色部材４５，４７は、各々の色調に合わせて容易に着色できる。従って、上げ下げ窓１の仕切部４０において、上げ下げ窓１の内観および外観を向上することができる。
【００４７】
（２）  内観色部材４７を縦枠１３の室内露出部である断熱性カバー材２３と同じ材質で構成し、外観色部材４５を室外露出部である縦枠１３と同じアルミ押出形材で構成したので、色だけでなく、表面の光沢感等の意匠も同一にでき、上げ下げ窓１の内観および外観をより一層向上できる。
【００４８】
（３）  内観色部材４７および外観色部材４５は縦枠１３とも別体であり、かつ互いに別体であるため、各色部材４５，４７を上げ下げ窓１の内観および外観に合わせて容易に着色でき、生産効率を低下させることもない。
【００４９】
（４）  外観色部材４５、内観色部材４７、風止め板４６は、取付溝４１に対してスライド式に差し込んでいるので、ビス止め等と比べて組立作業性を向上できる。また、風止め板４６は、内観色部材４７および外観色部材４５間に配置されるため、各色部材４５，４７の長さ寸法を設定しておけば、風止め板４６の配置位置も容易に設定できる。その上、各色部材４５，４７、風止め板４６は、同じ取付溝４１に取り付けられるので、例えば、外観色部材４５、風止め板４６、内観色部材４７を順次取り付けるだけで、位置合わせを兼ねて容易に取り付けることができる。
【００５０】
（５）  モヘア７５からなる封止部材を内障子７０の竪框７３に取り付けているので、下框（外召合せ框）６２に取り付けられる気密材６７の端面と風止め板４６との隙間を確実に塞ぐことができ、気密性や水密性を向上できる。
また、これにより、気密材６７は、外障子６０の下框６２部分にのみ取り付ければよく、竪框６３部分まで延長する必要がないため、気密材６７の取付構造を簡易にできる。
【００５１】
（６）  窓枠１０の各枠１１〜１３の室内側の露出面部を断熱性部材からなり室内露出部となるカバー材２１〜２３で被覆しているので、窓枠１０における断熱性を向上できる。また、障子６０，７０を、断熱性部材からなる室内部材６１Ｂ，６３Ｂ，７１Ｂ〜７３Ｂを有する各框６１，６３，７１〜７３を用いて構成しているので、障子６０，７０における断熱性も向上できる。
【００５２】
（７）  本実施形態では、内観色部材４７は、室内露出部である枠１１〜１３の各カバー材２１〜２３や、各框６１，６３，７１〜７１の室内部材６１Ｂ，６３Ｂ，７１Ｂ〜７１Ｂと同じ材質、色調で構成されているので、上げ下げ窓１の内観を窓枠１０部分から障子６０，７０部分まで統一することができ、意匠性を非常に向上することができる。
さらに、外観色部材４５は、室外露出部である枠１１〜１３や、各框６１〜６３，７１〜７１の室外部材６１Ａ〜６３Ａ，７１Ａ〜７１Ａと同じ材質、色調で構成されているので、上げ下げ窓１の外観も窓枠１０部分から障子６０，７０部分まで統一することができ、意匠性を非常に向上することができる。
【００５３】
（８）  上げ下げ窓１の内観および外観を、まったく異なるものにすることができるため、部屋の内装や、建物の外壁などに応じて上げ下げ窓１の内観、外観を自由に設定することができ、建物全体としても意匠性の高いものにすることができる。
【００５４】
（９）  取付溝４１を断熱性のカバー材２３に形成しているので、外観色部材４５が外気で冷やされても、外観色部材４５からの熱伝導を抑えることができ、断熱性能を向上できる。
【００５５】
なお、本発明は、以下に示すような変形等も本発明に含まれる。
例えば、前記実施形態では、窓枠１０として、枠１１〜１３にカバー材２１〜２３を取り付けたものを利用していたが、アルミ製の室外部材（室外露出部）と断熱性部材からなる室内部材（室内露出部）とで構成されたものでもよい。この場合も、内観色部材４７は、断熱性部材からなる室内部材と同じ色で構成すればよく、さらに同じ材質で構成することがより好ましい。
【００５６】
また、窓枠１０としては、下枠１２以外の上枠１１や縦枠１３も、アルミ製の室外部材（室外露出部）および室内部材（室内露出部）と、これらの室内外部材を連結する断熱性部材からなる連結材とで構成されたものでもよい。この場合には、内観色部材４７は、縦枠１３のアルミ製の室内部材と同じ色に設定したり、内観色部材４７を同じアルミ製とすることが好ましい。
【００５７】
要するに、窓枠１０の具体的な構成は実施にあたって適宜設定すればよい。例えば、（Ａ）非鉄金属製の室内部材（室内露出部）および室外部材（室外露出部）とこの室内外部材を連結する断熱部材とから構成した枠、（Ｂ）非鉄金属製の室外部材（室外露出部）と樹脂製の断熱性部材からなる室内部材（室内露出部）とから構成した枠、（Ｃ）非鉄金属製の室外部材（室外露出部）と木製の断熱性部材からなる室内部材（室内露出部）とから構成した枠、（Ｄ）非鉄金属製の室外部材（室外露出部）と合成木材製の断熱性部材からなる室内部材（室内露出部）とから構成した枠、（Ｅ）非鉄金属製の枠（室外露出部および室内露出部を含む）、（Ｆ）合成樹脂製の枠（室外露出部および室内露出部を含む）、（Ｇ）合成木材製の枠（室外露出部および室内露出部を含む）、などから選択された枠を四周枠組みして構成された窓枠を用いればよい。
【００５８】
また、障子６０，７０も、前記各実施形態のものに限定されず、実施にあたって適宜設定すればよい。例えば、（ａ）非鉄金属製の室内部材および室外部材とこの室内外部材を連結する断熱部材とから構成した框、（ｂ）非鉄金属製の室外部材と樹脂製の断熱性部材からなる室内部材とから構成した框、（ｃ）非鉄金属製の室外部材と木製の断熱性部材からなる室内部材とから構成した框、（ｄ）非鉄金属製の室外部材と合成木材製の断熱性部材からなる室内部材とから構成した框、（ｅ）非鉄金属製の框、（ｆ）合成樹脂製の框、（ｇ）合成木材製の框、などから選択された框を四周框組みして構成され、かつ面材として複層ガラスまたは単板ガラスの一方が組み込まれた障子を用いればよい。
【００５９】
さらに、外観色部材４５や内観色部材４７は、窓枠１０の室内露出部や室外露出部と同じ材質、色調に設定するだけでなく、異なる材質や色調にしてもよい。例えば、外観色部材４５や内観色部材４７は、アルミ製に限らず他の金属材で形成してもよいし、気密材と同様の合成ゴム等で形成してもよく、さらには他の材質で構成してもよい。但し、外観色部材４５等は外気に触れるため、耐水性や耐候性等の条件をクリアしたものが好ましい。
【００６０】
また、前記実施形態では、外観色部材４５や内観色部材４７の色調を、上げ下げ窓１の外観、内観と共通としていたが、異なる色調として外観色部材４５、内観色部材４７のラインを強調するデザインなどにしてもよい。
【００６１】
さらに、窓枠１０の外観と、障子６０，７０の外観が異なる場合や、窓枠１０の内観と障子６０，７０の内観が異なる場合には、外観色部材４５や内観色部材４７は、窓枠１０の外観や内観と同じ色に設定してもよいし、障子６０，７０の外観や内観と同じ色に設定してもよく、さらにいずれとも異なる色に設定してもよい。
【００６２】
外観色部材４５や内観色部材４７は、取付溝４１に差し込んでスライド移動させることで取り付けられるものに限らない。例えば、外観色部材４５や内観色部材４７に弾性を有する係止片を設け、取付溝４１に押し込んで取り付けるように構成してもよい。要するに、外観色部材４５、内観色部材４７は、ボルトなどを利用せずに、取付溝４１の形状を利用して取り付けられるものであればよい。
【００６３】
前記実施形態では、取付溝４１をカバー材２３に形成していたが、縦枠１３側に形成してもよく、さらには、カバー材２３および縦枠１３に跨って形成してもよい。また、縦枠１３を、アルミ製の室外部材（室外露出部）と断熱性部材からなる室内部材（室内露出部）とで構成した場合には、取付溝は室内部材に形成すればよい。
【００６４】
風止め板４６は、例えば、上げ下げ窓１を建物屋内に配置する場合等は不要にできるため、必要に応じて設置すればよい。さらに、風止め板４６を、外観色部材４５や内観色部材４７と一体に形成してもよい。
【００６５】
前記実施形態では、障子を閉めた際に、内障子７０が下側で外障子６０が上側としていたが、逆に内障子７０を上側で外障子６０を下側に設定してもよい。この場合には、下から、内観色部材４７、風止め板４６、外観色部材４５の順に配置すればよい。
また、本発明は、外障子６０、内障子７０の両方が可動する上げ下げ窓１に限らず、一方の障子６０，７０が固定障子とされた上げ下げ窓１にも適用することができる。
さらに、本発明の上げ下げ窓１は、建物の屋根面や壁面の開口部に取り付けられるものに限らず、勝手口ドアや玄関ドア等のドア内部に設けられるものでもよい。
【００６６】
【発明の効果】
このような本発明によれば、上げ下げ窓の外観、内観を共に向上させることができ、生産効率の低減も防止できる。
【図面の簡単な説明】
【図１】本発明の実施形態である上げ下げ窓を示す内観図である。
【図２】図１のＩＩ−ＩＩ線からみた縦断面図である。
【図３】図１のＩＩＩ−ＩＩＩ線からみた横断面図である。
【図４】縦枠部分を示す拡大横断面図である。
【図５】縦枠部分を示す概略斜視図である。
【図６】縦枠部分を示す模式図である。
【図７】外観色部材の配置状態を示す斜視図である。
【図８】内観色部材の配置状態を示す斜視図である。
【図９】障子の召合せ部を示す分解斜視図である。
【符号の説明】
１…上げ下げ窓、１０…窓枠、１１…上枠、１２…下枠、１２Ａ…室外部材、１２Ｂ…室内部材、１２Ｃ…断熱部材、１３…縦枠、１５…ガイド溝、１５Ａ…室外片、１５Ｂ…室内片、１６…ガイド溝、２１〜２３…カバー材、２３Ａ…室外片、２６…バックアップ材、２７…充填材、２８…気密シール材、４０…仕切部、４１…取付溝、４５…外観色部材、４６…風止め板、４７…内観色部材、６０…外障子、６１…上框、６２…下框（召合せ框）、６３…竪框、６１Ａ〜６３Ａ，７１Ａ〜７１Ａ…室外部材、６１Ｂ，６３Ｂ，７１Ｂ〜７３Ｂ…室内部材、６７…気密材、６８…摺動片、６９…スパイラルバランサー、７０…内障子、７１…上框（召合せ框）、７２…下框、７３…竪框、７５…モヘア（封止部材）、８０…複層ガラス。
【図１】
0003618078.tif 000002
【図２】
0003618078.tif 000003
【図３】
0003618078.tif 000004
【図４】
0003618078.tif 000005
【図５】
0003618078.tif 000006
【図６】
0003618078.tif 000007
【図７】
0003618078.tif 000008
【図８】
0003618078.tif 000009
【図９】
0003618078.tif 000010